(57)【要約】【課題】防波堤のように竿保持具を何かに固定する事が困難な場合において、魚から引き込まれても、釣竿や竿保持具が簡単に海に引き込まれる事がない竿保持具を提供する。【解決手段】釣竿を前後２点で保持する構成とし、竿保持具の前方接地点が、前方竿保持点と後方竿保持点を通る延長線と近接する位置とするものであり、さらに前方竿保持点と後方竿保持点を通る延長線が、竿保持具の前方接地点から釣竿の穂先側方向で地面を延長する平面と交差するように保持する構成とすることにより、釣竿の穂先側は防波堤の地面より低い位置に下げて保持するものとし、竿保持具の転倒に対する安定性や、竿保持具の地面との滑りに対する安定性が高い竿保持具とし提供するものである。【選択図】図１
2007000134.tif 000002
【特許請求の範囲】
【請求項１】
防波堤で使用する竿保持具であって、釣竿を前後２点で保持する構成であり、竿保持具の前方接地点が、前方竿保持点と後方竿保持点を通る延長線から最短距離で１０ｃｍ以内となる近接する位置関係となるものであって、前方竿保持点と後方竿保持点を通る延長線が、竿保持具の前方接地点から釣竿の穂先側方向に５０ｃｍ以内で地面を延長する平面と交差する事を特徴とする竿保持具。
【請求項２】
請求項１の竿保持具であって、１本の棒状部材を第１脚部とし、第１脚部の下方端部を前方接地点とし、第１脚部の下方端部側に前方竿保持点を位置し、第１脚部の上方端部側に後方竿保持点を位置するものであって、上方端部側を第２脚部により支え、第２脚部の下方端部をＴ字形状やＹ字形状、もしくはＬ字形状として地面から支持する事を特徴とする竿保持具。
【請求項３】
請求項１の竿保持具であって、折り畳みの三脚構造にて構成するものであり、釣場の前方に向けて張り出す第１脚部の下方端部を前方接地点とし、第１脚部の下方端部側に前方竿保持点が位置し、第１脚部の上方端部側位置、もしくは三脚の台座に後方竿保持点を位置するものであって、第１脚部のみが三脚台座の軸線に対し直角に近い７０度以上の角度に開脚出来るものであって、三脚の台座から後方に張り出す第２脚部と第３脚部は、折り畳む軸から脚部端部までの長さが２５ｃｍ以下である事を特徴とする竿保持具。
【請求項４】
請求項１の竿保持具であって、１本の棒状部材を第１脚部とし、第１脚部の一方端部側に、前方接地点と、釣り竿を上方から受ける前方竿保持点と、下方から受ける後方竿保持点を設けるものであって、第１脚部の他方端部側を第２脚部により支え、第２脚部の下方端部をＴ字形状やＹ字形状とし、地面から支持する事を特徴とする竿保持具。
【請求項５】
請求項１の竿保持具であって、タモ網の柄を第１脚部として流用し、タモ尻側を第１脚部の一方端部側とし、一方端部側に前方接地点と、釣り竿を上方から受ける前方竿保持点と、下方から受ける後方竿保持点を設けるものであって、第１脚部の他方端部側に位置するタモ枠により、地面から支持する事を特徴とする竿保持具。
【請求項６】
請求項５の竿保持具に使用するタモ網であって、タモ尻栓に竿受部材を固定するための雌ネジを有する事を特徴とするタモ網。
【請求項７】
防波堤で使用する竿保持具であって、１本の棒状部材を第１脚部とし、第１脚部の一方端部側に１点の前方接地点を位置し、第１脚部の他方端部側を第２脚部により支え、第２脚部をＴ字形状やＹ字形状とする２点の後方接地点とし、合わせて３点で地面から支持され、第１脚部の他方端部側に支柱を立て、支柱の上部に、釣り竿を上方から受ける後方竿保持点と、下方から受ける前方竿保持点とが前後に間隔を開けて配置された竿保持部位が取り付けられるものであって、竿保持部位が支柱上部で固定される取付ネジによって釣竿の保持角度を調整可能としている事を特徴とする竿保持具。
【請求項８】
防波堤で使用する竿保持具であって、１本の棒状部材を第１脚部とし、第１脚部の一方端部側に１点の後方接地点を位置し、第１脚部の他方端部側を第２脚部により支え、第２脚部をＴ字形状やＹ字形状とする２点の前方接地点とし、合わせて３点で地面から支持され、第１脚部の一方端部側に支柱を立て、支柱の上部に、釣り竿を上方から受ける後方竿保持点と、下方から受ける前方竿保持点とが前後に間隔を開けて配置された竿保持部位が取り付けられるものであって、竿保持部位が支柱上部で固定される取付ネジによって釣竿の保持角度を調整可能としている事を特徴とする竿保持具。
【発明の詳細な説明】
【技術分野】
【０００１】
本発明は、釣竿の竿保持具に関する。
【背景技術】
【０００２】
竿保持具は、魚から釣糸を引っ張られても、転倒しにくい安定性が必要であり、三脚構造の竿保持具や、地面に突き刺す構造の竿保持具が一般に市販されているが、防波堤では、三脚を広げる場所が確保出来ない場合や、地面がコンクリートであるため、地面に竿保持具を突き刺して安定させるような竿保持具も使用出来なかった。これに対し、様々な防波堤用の竿保持具が考案されており、「クーラーに竿保持具を装着する方式」や「バケツと竿保持具を一体とした方式」や「台座を設けた方式」などが考案されている。
【０００３】
「クーラーに竿保持具を装着する方式」や「バケツと竿保持具を一体とした方式」では、クーラーやバケツの重量を利用し、安定性を確保したものである。
【０００４】
「台座を設けた方式」として、特許公開平９−７４９６７号公報に開示されたものが知られている。台座の前後端部から上方に竿受けが位置し、台座の重量を利用し、安定を確保したものである。
【０００５】
【特許文献１】特開平９−７４９６７号公報
【発明の開示】
【発明が解決しようとする課題】
【０００６】
防波堤では竿保持具を何かに固定する事が困難な事から、魚が掛かっても、釣竿や竿保持具が転倒する事や、引き込まれる事のない安定性を確保する事が困難であった。さらに竿保持具の配置は、クーラーやバケツの位置に縛られず、自由に配置出来るものが使いやすく、持ち運びも軽く、収納性も良いものが必要であった。本発明は、上記の課題を解決するため、低重心で安定性が高く、魚から引き込まれる作用が竿保持具の転倒に対して影響が少なく、持ち運びも軽く、収納性も良い釣り竿保持具を提供することを目的とする。
【課題を解決するための手段】
【０００７】
本発明は、上記の課題を解決するため、釣竿を前後２点で保持する構成とし、竿保持具の前方接地点が、前方竿保持点と後方竿保持点を通る延長線から最短距離で１０ｃｍ以内となる近接する位置関係」とし、さらに前方竿保持点と後方竿保持点を通る延長線が、竿保持具の前方接地点から釣竿の穂先側方向に５０ｃｍ以内で地面を延長する平面と交差するように保持する構成とすることにより、釣竿の穂先側は防波堤の地面より低い位置に下げて保持するものとした。
【０００８】
上述のように、釣竿の穂先側を竿元側より低く下げて保持することにより、釣糸と釣竿の角度が平行に近づく事になり、魚から釣糸を引き込まれても、釣竿と竿保持具の転倒に対して、低い位置で釣糸のライン張力が釣竿の穂先に作用するため、転倒に対して有効に安定性を得る事が可能となるものである。
【０００９】
また、上述のように竿保持具の前方接地点が、前方竿保持点と後方竿保持点を通る延長線と近接する位置とした事により、竿保持具は、さらに低い重心となり、魚から釣糸を引き込まれても、竿保持具の転倒に対して、安定性を確保する事が出来る。
【００１０】
魚から引き込まれるライン張力は、地面と角度を持つため前方接地点に下向きの分力として働く。同時に前方竿保持点に対して釣竿は竿元側が持ち上がる方向に作用が働き、竿元側のリール重量も含めて竿保持具の前方接地点に掛かる割合が増加するため、前方接地点の摩擦力が増加し、竿保持具の地面との滑りに対して、有効に安定性を得る事が出来るものである。
【００１１】
さらに、強く魚から引き込まれる作用が働くと、釣竿の竿元側が竿保持具から離れて持ち上がるため、これに対して、前方竿保持点と後方竿保持点の中間に、前後竿保持点に釣竿を押さえつける向きに、ベルトやフックで、釣竿を竿保持具に固定する中間竿保持点を設け、前方竿保持点と中間竿保持点と後方竿保持点の３点で、釣竿を竿保持具に固定する事により、竿保持具の後方の重量も竿保持具の前方接地点に加算されて作用する事が出来るため、竿保持具の地面との滑りに対して、さらに安定性を得る事が出来る。
【００１２】
竿保持具の下部には、ペットボトルやジュース缶をオモリとして下げられる空間が設けられる場合は、これらのオモリを下げる事により、竿保持具の重量を増す事が出来るものとした。
【００１３】
さらに、釣竿と竿保持具を固定した事により、竿保持具のみを防波堤の何かに係留してさえいれば、非常に大きな魚が掛かっても、釣竿が海に引っ張り込まれる事が無く、非常に安心な状態とする事が出来るものである。釣竿の竿尻をロープで係留する必要がなく、釣竿の使い勝手が良好となるものである。
【００１４】
また、請求項５の竿保持具を除いては、竿保持具にロープを結束するリングを設ける事により、テトラポットや岩場のような、複雑な地面においても、竿保持具をロープで固定し使用する事を出来るものとしている。
【００１５】
本発明の第１の構成として、１本の棒状部材を第１脚部とし、第１脚部の下方端部側に前方竿保持点を位置し、第１脚部の上方端部側に後方竿保持点を設け、上方端部側を第２脚部により支え、第２脚部の下方端部をＴ字形状やＬ字形状、もしくはＹ字形状とする事により支持した。下方端部をＹ字形状にすると、テトラポットや凸凹した地面でも安定させる事が出来る。
【００１６】
上記の第１の構成において、第１脚部を長さ調整出来る伸縮可能な構造とする事により、第１脚部の地面との角度を調整する事が出来る。また、第２脚部を第１脚部に沿ってスライドして位置決め出来るようにする事でも、第１脚部の地面との角度を調整する事が可能である。
【００１７】
また、第１の構成の竿保持具を並列に並べて連結した構成とし、複数の釣竿を保持可能とする事も可能である。
【００１８】
本発明の第２の構成として、折り畳み式の三脚構造にて構成し、釣場の前方に向けて張り出す第１脚部の下方端部に前方接地点が位置し、第１脚部の下方端部側に前方竿保持点を設け、第１脚部の上方端部側位置、もしくは三脚の台座に後方竿保持点を設け、第１脚部のみが三脚台座の軸線に対し直角に近い７０度以上の角度に開脚出来る構造とし、三脚の台座から後方に張り出す第２脚部と第３脚部は、折り畳む軸から脚部端部までの長さが２５ｃｍ以下とするか、もしくは２５ｃｍ以下の長さに伸縮出来る構造とする事により収納性が高い折り畳み式の三脚構造にて構成する事が出来るものとした。
【００１９】
本発明の第３の構成として、第１実施形態における第２脚部の代わりに、吸盤やクリップを設け、クーラーやバケツやペットボトルなどに固定する事により第１脚部の上方端部側を支える事により、収納性が高く、経済的に安価な構造とする事も可能である。
【００２０】
本発明の第４の構成として、１本の棒状部材を第１脚部とし、第１脚部の一方端部側に、前方接地点と、釣り竿を上方から受ける前方竿保持点と、下方から受ける後方竿保持点を設け、第１脚部の他方端部側を第２脚部により支え、第２脚部の下方端部をＴ字形状やＹ字形状とし、地面から支持する構成としている。構造が極めて簡単で収納性が良く、安価に生産出来るという特徴がある。
【００２１】
本発明の第５の構成として、釣れた魚をすくうタモ網の柄を第１脚部として流用し、タモ尻側を第１脚部の一方端部側とし、一方端部側に、前方接地点と、釣り竿を上方から受ける前方竿保持点と、下方から受ける後方竿保持点を設け、第１脚部の他方端部側に位置するタモ枠によって地面から支持する構成としている。竿保持具を構成する脚部部分のほとんどをタモ網と共用しているため、持ち運びでの荷物が極端に少なくなるという特徴がある。
【００２２】
本発明の第６の構成として、１本の棒状部材を第１脚部とし、第１脚部の一方端部側に１点の前方接地点を位置し、第１脚部の他方端部側を第２脚部により支え、第２脚部をＴ字形状やＹ字形状とする事により２点の後方接地点とし、合わせて３点で地面から支持される構成とし、さらに第１脚部の他方端部側に支柱を立て、支柱の上部に、釣り竿を上方から受ける後方竿保持点と、下方から受ける前方竿保持点とが前後に間隔を開けて配置された竿保持部位が取り付けられるものであって、竿保持部位が支柱上部で固定される取付ネジによって釣竿の保持角度を調整可能としている。場合によっては、釣竿を水平に近い角度で保持し、微妙なアタリを探る時などにも流用できるため用途が広がるという利便性がある。
【００２３】
本発明の第７の構成として、１本の棒状部材を第１脚部とし、第１脚部の一方端部側に１点の後方接地点を位置し、第１脚部の他方端部側を第２脚部により支え、第２脚部をＴ字形状やＹ字形状とする２点の前方接地点とし、合わせて３点で地面から支持される構成とし、さらに第１脚部の一方端部側に支柱を立て、支柱の上部に、釣り竿を上方から受ける後方竿保持点と、下方から受ける前方竿保持点とが前後に間隔を開けて配置された竿保持部位が取り付けられるものであって、竿保持部位が支柱上部で固定される取付ネジによって釣竿の保持角度を調整可能としている。場合によっては、釣竿を水平に近い角度で保持し、微妙なアタリを探る時などにも流用できるため用途が広がるという利便性がある。
【発明の効果】
【００２４】
本発明によれば、防波堤のように竿保持具を何かに固定する事が困難な場合において、魚から引き込まれても、釣竿や竿保持具が簡単に海に引き込まれる事がなく、竿保持具の転倒に対する安定性や、竿保持具の地面との滑りに対する安定性が高く、竿保持具に釣竿を固定する事も出来るため、竿保持具のみを防波堤の何かに係留してさえいれば、非常に大きな魚が掛かっても、釣竿が海に引っ張り込まれる事が無く、非常に安心な状態とする事が出来る。さらに釣竿の穂先が海面と近いので、風が強い日でも快適に使用する事が出来る。  また、テトラポットや岩場でも、ロープにより固定する事により流用する事が可能である。
【発明を実施するための最良の形態】
【００２５】
以下、本発明の実施の形態について説明する。
図１は本発明の第１の構成を示すものである。図２〜図４は第１の構成を例にした使用状況と動作状況の説明図である。図５は本発明の第２の構成を示すものである。図６は、本発明の第３の構成を示すものである。図７は、本発明の第４の構成を示すものである。図８は、第４の構成の使用状況説明図である。図９は、本発明の第５の構成を示すものである。図１０は、第５の構成の使用状況説明図である。図１１は、本発明の第５の構成に関するタモ尻の構造を示すものである。図１２は、本発明の第６の構成を示すものである。図１３は、第６の構成の使用状況説明図である。図１４は、本発明の第７の構成を示すものである。図１５は、第７の構成の使用状況説明図である。
【００２６】
（第１の構成）
図１において、本発明の竿保持具は、パイプ形状をした第１脚部１の下方端部に前方接地点Ａが位置し、前方接地点Ａは、摩擦係数が高いゴムやプラスチック製の円筒形状の滑り止め部材２を有し、第１脚部１の下方端部側には取付管５が締付ネジ１２で固定され、取付管５には前方竿掛３が取り付いている。第１脚部１の上方端部側には取付管６が締付ネジ１２で固定され、取付管６には後方竿掛４が取り付いている。前方竿掛３は釣竿の前方を保持する前方竿保持点Ｂがあり、後方竿掛４は釣竿の後方を保持する後方竿保持点Ｃがある。また、第１脚部１の上方端部側を第２脚部１３により支え、第２脚部１３の下方端部をＹ字形状として地面から支持する構造とし先端には地面との滑り止め用として滑り止めキャップ１４を取り付けている。下方端部はＴ字形状やＬ字形状であっても良いが地面に凹凸がある場合にはＹ字形状のように点で支持する方が安定する。
【００２７】
第１脚部１の中間部には、釣竿を竿保持具に固定するためのバンド８を取り付ける事も出来る。バンド８により釣竿を引っ張る事により、釣竿を前方竿保持点Ｂとバンド８と後方竿保持点Ｃの３点で、釣竿を竿保持具に固定する事が出来る。釣竿を竿保持具に固定する事により、釣竿が魚から引っ張られる場合において安定性が高くなる。さらに竿保持具のみを防波堤の何かに係留してさえいれば、非常に大きな魚が掛かっても、釣竿が海に引っ張り込まれる事が無く、非常に安心な状態とする事が出来る。釣竿の竿尻をロープで係留する必要がなく釣竿の自由度が高いため使い勝手が良好である。また、バンド８は、竿保持具から釣竿を引っ掛けるフック形状の部材であっても良い。
【００２８】
さらに、第１脚部１の下方に、空間を設けている事により、第１脚部１の中間部にバンド９を取り付けてペットボトル１０をオモリとして下げる事も出来る。ペットボトル１０は、海水を入れても良く、鉛を入れても竿保持具の安定に効果的である。
【００２９】
竿保持具を構成する部材の位置関係において、竿保持具の前方接地点Ａは、前方竿保持点Ｂと後方竿保持点Ｃを通る延長線から最短距離で１０ｃｍ以内の近接する位置関係とし、前方竿保持点Ｂと後方竿保持点Ｃを通る延長線が、竿保持具の前方接地点Ａから釣竿の穂先側方向に５０ｃｍ以内で、前方接地点Ａと後方接地点Ｄを通る地面を延長する平面と交差する位置関係としている。これにより、転倒に対する安定性と、滑りに対する安定性を確保するものである。
【００３０】
さらに、取付管５の下部には、ロープを通したり結んだりするためのリングを取り付けている。これにより平坦な防波堤に限らず、テトラポットや岩場でもロープを使用し縛り付けて使用する事が出来る。
【００３１】
図２は、防波堤Ｇで使用した場合の使用状況である。前方接地点Aと釣竿Eとの最短距離は近接した位置関係となっており、釣竿Ｅの穂先側を下げて保持する事により、釣竿Ｅの穂先に作用するライン張力が、前方接地点Aを中心とした回転モーメントを小さくする事が出来るため、竿保持具の転倒に対する安定性が高い。
【００３２】
さらに、ベルト８にて釣竿Ｅと竿保持具を固定している場合には、竿保持具のみを防波堤Ｇの何かに係留ロープ１５にて係留してさえいれば、非常に大きな魚が掛かっても、釣竿Ｅが海に引っ張り込まれる事が無く、非常に安心な状態とする事が出来る。釣竿Ｅの竿尻をロープで係留する必要がなく、釣竿Ｅの自由度が高いため使い勝手が良く、快適に釣りが出来るものである。
【００３３】
図３は、防波堤での使用で、魚から引っ張られる場合において、釣竿と竿保持具の動作状況を説明している。
【００３４】
（ａ）は、待ち受け時、もしくは強くない程度に魚から引かれている状況である。釣竿Ｅの穂先位置が低く、前方接地点Ａと釣竿Ｅの最短距離が近接しているため、転倒に対して安定性が高く、少々引かれても転倒しない状況である。さらに、滑りに対する安定では、魚から引かれる作用が増えると、後方接地点Ｄへの荷重が減り、前方接地点Ａへの荷重に加算されると同時に、魚から引かれるライン張力の下向きの分力も前方接地点Ａの下向きの作用に加算され、前方接地点Ａの摩擦力が増加する。前方接地点Ａに摩擦係数が大きい滑り止め部材を使用することで、滑りに対して高い安定性を得ている。
【００３５】
（ｂ）は、リールＦが持ち上がるほど、強い力で魚から引かれた時の状況であり、これ以上に魚から引かれると釣竿は、海に引き込まれる事になる。
【００３６】
これに対して、（ｃ）に示すように、釣竿Ｅと竿保持具をベルト８で固定する事により、竿保持具の重量と、竿保持具に下げたペットボトルの重量も加算され、強い力で魚から引かれても、容易には海に引き込まれる事がなくなるものである。しかしながら、非常に大きな魚が掛かる場合があるとすれば、（ｃ）に示すように、後方接地点が地面から離れて転倒して行くが、竿保持具のみを防波堤Ｇの何かに係留ロープ１５にて係留してさえいれば、釣竿Ｅと竿保持具が海に引っ張り込まれる事は無く、非常に安心な状態とする事が出来る。
【００３７】
図４は、テトラポットで使用した場合の使用状況である。取付管５の下部には、ロープを通したり結んだりするためのリングを取り付けている。これにより平坦な防波堤に限らず、テトラポットＨに締付ロープ１６を使用し縛り付けて使用する事が出来る。テトラポットは水平面と限らないため、取付管５、６、１１の締付ネジ１２を緩める事により角度調整を可能としている。取付管５や取付管６は、第１脚部１を軸に回転させて位置決めする事により、前方竿掛３や後方竿掛４において左右方向の角度調整が出来る。第２脚部１３の取付管１１は、第１脚部１に沿ってスライドして位置決めする事により、テトラポットの面と第１脚部の前後方向における角度調整が出来るものである。
【００３８】
（第２の構成）
図５において、本発明の竿保持具は、折り畳み式の三脚構造にて構成するものであり、釣場の前方に向けて張り出す第１脚部１のみが三脚の台座１６の軸線に対して直角に大きく開脚出来る構造とし、第１脚部１の下方端部に前方接地点Aを位置し、前方接地点Aは、摩擦係数が高いゴムやプラスチック製の滑り止め部材２を有し、第１脚部１の下方端部側には取付管５が締付ネジ１２で固定され、取付管５には前方竿掛３が取り付いている。三脚の台座１６の上部には後方竿掛４を設けている。前方竿掛３は釣竿の前方を保持する前方竿保持点Ｂがあり、後方竿掛４は釣竿の後方を保持する後方竿保持点Ｃがある。また、三脚の台座１６から後方に張り出す第２脚部１３ａと第３脚部１３ｂは、折り畳む軸から脚部端部までの長さが２５ｃｍ以下とし、地面と第１脚部１の角度が小さく出来るようにしている。第１脚部１、第２脚部１３ａ、第３脚部１３ｂは伸縮自在な構造とし、長さ調整により前記条件を満たすものであっても良い。
【００３９】
釣竿を竿保持具に固定するためのベルト８や、ペットボトル１０を下げるためのベルト９や、竿保持具の部材を構成する位置関係、ならびにテトラポットに固定するための構成については、第１実施形態と同様であるため省略する。
【００４０】
（第３の構成）
図６において、本発明の竿保持具は、第１実施形態および第２実施形態の第２脚部や第３脚部の代わりに吸盤１８を取り付けたものであって、吸盤１８によって、台座として流用するペットボトル１０に固定しているものである。台座として流用するものは、ペットボトル１０のほかにクーラーやバケツであっても良い。構造的に簡易であり収納性が高く、経済的にも安価な構造とする事が可能である。
【００４１】
（第４の構成）
図７において、本発明の竿保持具は、パイプ形状をした１本の棒状部材を第１脚部１とし、第１脚部１の一方端部側に、前方接地点Ａと、釣竿を上方から受ける前方竿保持点Ｂと、下方から受ける後方竿保持点Ｃを設け、第１脚部１の他方端部側を第２脚部１３により支え、第２脚部１３の下方端部をＴ字形状やＹ字形状として地面から支持する構成とし、先端には地面との滑り止め用として滑り止めキャップ１４を取り付けている。構造が極めて簡単で収納性が良く、安価に生産出来るという特徴がある。第２脚部１３の下方端部はＴ字形状であっても良いが、テトラポットや地面に凹凸がある場合にはＹ字形状で支持する方が安定する。
【００４２】
さらに魚から引き込まれた場合に、竿保持具の重量も有効に利用するために、第１脚部１の他方端部側にゴム紐２２を結び、ゴム紐２２の他方端部にフック２３を設け、釣竿を引っ掛けられる構成としている。
【００４３】
図８は、本発明の第４の構成における使用状況を説明したものである。
【００４４】
（ａ）は、防波堤で使用している状況を示すもので、釣竿Ｅは後方竿保持点Ｃを軸とした場合に、竿尻側が穂先側より重たいため、後方竿保持点Ｃで釣竿Ｅを下方から受け、前方竿保持点Ｂで釣竿Ｅを上方から受ける事により保持している。釣り人が常に横にいる場合は、この状態で十分であるが、釣り人が場所を離れる場合などは、釣竿Ｅをゴム紐２２とフック２３で引っ掛ける事により、魚から引かれても、容易には海に引き込まれる事がなくなるものである。
【００４５】
（ｂ）は、本発明の第４の構成における竿保持具を、そのまま前後反対に使用し、流用する場合の利用方法である。釣竿Ｅは後方竿保持点Ｃを軸とした場合に、穂先側が竿尻側より重たいため、後方竿保持点Ｃで釣竿Ｅを下方から受け、前方竿保持点Ｂで釣竿Ｅを上方から受ける事により保持している。本発明の意図する使用方法ではないものの、このように釣り方によって、使い分けが出来るため便利である。
【００４６】
（第５の構成）
図９において、本発明の竿保持具は、釣れた魚をすくうタモ網の柄を第１脚部１として流用し、タモ尻側を第１脚部１の一方端部側とし、一方端部側に、前方接地点Ａと、釣り竿を上方から受ける前方竿保持点Ｂと、下方から受ける後方竿保持点Ｃを設け、第１脚部１の他方端部側に位置するタモ枠２４によって地面から支持する構成としている。タモ枠２４には高さ調整のために高さ調整部品２５を取り付けている。さらに魚から引き込まれた場合に、竿保持具の重量も有効に利用するために、第１脚部の他方端部側にゴム紐２２を結び、ゴム紐２２の他方端部にフック２３を設け、釣竿を引っ掛けられる構成としている。竿保持具を構成する脚部部分のほとんどをタモ網と共用しているため、持ち運びでの荷物が極端に少なくなるという優れた特徴がある。
【００４７】
図１０は、本発明の第５の構成における使用状況を説明したものである。
【００４８】
（ａ）は、防波堤で使用している状況を示すもので、釣竿Ｅは後方竿保持点Ｃを軸とした場合に、竿尻側が穂先側より重たいため、後方竿保持点Ｃで釣竿Ｅを下方から受け、前方竿保持点Ｂで釣竿Ｅを上方から受ける事により保持している。釣り人が常に横にいる場合は、この状態で十分であるが、釣り人が場所を離れる場合などは、釣竿Ｅをゴム紐２２とフック２３で引っ掛ける事により、魚から引かれても、容易には海に引き込まれる事がなくなるものである。
【００４９】
（ｂ）は、第５の構成の竿保持具を、そのまま前後反対に使用し、流用する場合の利用方法である。釣竿Ｅは後方竿保持点Ｃを軸とした場合に、穂先側が竿尻側より重たいため、後方竿保持点Ｃで釣竿Ｅを下方から受け、前方竿保持点Ｂで釣竿Ｅを上方から受ける事により保持している。本発明の意図する使用方法ではないものの、このように釣り方によって、使い分けが出来るため便利である。
【００５０】
図１１は、本発明の第５の構成に関するタモ尻の構造を示すものである。（ａ）は、タモ尻キャップ受２６が雌ネジとした構成としており、タモ尻キャップ２７には、竿保持部位を装着するための雌ネジが設けられている。（ｂ）は、タモ尻キャップ受２６が雄ネジとした構成としており、タモ尻キャップ２７には、竿保持部位を装着するための雌ネジが設けられている。
【００５１】
（第６の構成）
図１２において、本発明の竿保持具は、１本の棒状部材を第１脚部１とし、第１脚部１の一方端部側に１点の前方接地点Ａを位置し、第１脚部１の他方端部側を第２脚部１３により支え、第２脚部１３をＴ字形状やＹ字形状とする事により２点の後方接地点Ｄとし、合わせて３点で地面から支持される構成としている。さらに第１脚部１の他方端部側に支柱２８を立て、支柱２８の上部に、釣竿を上方から受ける後方竿保持点Ｃと、下方から受ける前方竿保持点Ｂとが前後に間隔を開けて配置された竿保持部位が取り付けられるものであって、竿保持部位が支柱２８の上部で固定される蝶ネジ２１によって釣竿の保持角度を調整可能としている。場合によっては、釣竿を水平に近い角度で保持し、微妙なアタリを探る事を優先した竿保持具として流用できるため用途が広がるという利便性がある。
【００５２】
図１３は、本発明の第６の構成における防波堤での使用状況を説明したもので、釣竿Ｅは前方竿保持点Ｂを軸とした場合に、穂先側が竿尻側より重たいため、前方竿保持点Ｂで釣竿Ｅを下方から受け、後方竿保持点Ｃで釣竿Ｅを上方から受ける事により保持している。テトラポットでの使用も可能である。
【００５３】
（第７の構成）
図１４において、本発明の竿保持具は、１本の棒状部材を第１脚部１とし、第１脚部１の一方端部側に１点の後方接地点Ｄを位置し、第１脚部１の他方端部側を第２脚部１３により支え、第２脚部１３をＴ字形状やＹ字形状とする２点の前方接地点Ａとし、合わせて３点で地面から支持される構成とし、さらに第１脚部１の一方端部側に支柱２８を立て、支柱２８の上部に、釣竿を上方から受ける後方竿保持点Ｃと、下方から受ける前方竿保持点Ｂとが前後に間隔を開けて配置された竿保持部位が取り付けられるものであって、竿保持部位が支柱２８の上部で固定される蝶ネジ２１によって釣竿の保持角度を調整可能としている。場合によっては、釣竿を水平に近い角度で保持し、微妙なアタリを探る事を優先とした竿保持具として流用できるため用途が広がるという利便性がある。取付部品（前後一体竿掛用）１９を第１脚部１に沿ってスライド出来る構成にする事により、本発明の第６の構成と同構造で流用できる構成とする事も出来る。
【００５４】
図１５は、本発明の第７の構成における防波堤での使用状況を説明したもので、釣竿Ｅは前方竿保持点Ｂを軸とした場合に、穂先側が竿尻側より重たいため、前方竿保持点Ｂで釣竿Ｅを下方から受け、後方竿保持点Ｃで釣竿Ｅを上方から受ける事により保持している。釣竿を水平に近い角度で保持し、微妙なアタリを探るための竿保持具として流用する場合は、本発明の第６の構成よりも安定性が高い。
【産業上の利用可能性】
【００５５】
本発明は、防波堤のように竿保持具を何かに固定する事が困難な場合において、魚から引き込まれても、釣竿や竿保持具が簡単に海に引き込まれる事がない竿保持具として有用に利用する事ができる。
【図面の簡単な説明】
【００５６】
【図１】本発明における第１の構成の詳細を示すものである。
【図２】本発明における第１の構成を例にした防波堤における使用状況の説明図である。
【図３】本発明における第１の構成を例にした防波堤における動作状況の説明図である。
【図４】本発明における第１の構成を例にしたテトラポットにおける使用状況の説明図である。
【図５】本発明における第２の構成の詳細を示すものである。
【図６】本発明における第３の構成の詳細を示すものである。
【図７】本発明における第４の構成の詳細を示すものである。
【図８】本発明における第４の構成における防波堤での使用状況の説明図である。
【図９】本発明における第５の構成の詳細を示すものである。
【図１０】本発明における第５の構成における防波堤での使用状況の説明図である。
【図１１】本発明における第５の構成に関するタモ尻の構造を示すものである。
【図１２】本発明における第６の構成の詳細を示すものである。
【図１３】本発明における第６の構成における防波堤での使用状況の説明図である。
【図１４】本発明における第７の構成の詳細を示すものである。
【図１５】本発明における第７の構成における防波堤での使用状況の説明図である。
【符号の説明】
【００５７】
Ａ      前方接地点
Ｂ      前方竿保持点
Ｃ      後方竿保持点
Ｄ      後方接地点
Ｅ      釣竿
Ｆ      リール
Ｇ      防波堤
Ｈ      テトラポット
１      第１脚部
２      滑り止め部材
３      前方竿掛
４      後方竿掛
５      取付管（前方竿掛用）
６      取付管（後方竿掛用）
７      リング
８      バンド（竿保持用）
９      バンド（ペットボトル固定用）
１０    ペットボトル
１１    取付管（脚部固定用）
１２    締付ネジ
１３    第２脚部
１３ａ  第２脚部（三脚用）
１３ｂ  第３脚部（三脚用）
１４    滑り止めキャップ
１５    係留ロープ
１６    締付ロープ
１７    三脚の台座
１８    吸盤
１９    取付部品（前後一体竿掛用）
２０    取付部品（脚部固定用）
２１    蝶ネジ
２２    ゴム紐
２３    フック
２４    タモ枠
２５    高さ調整部品
２６    タモ尻キャップ受
２７    タモ尻キャップ
２８    支柱
２９    湾曲板状部位
【図１】
2007000134.tif 000003
【図２】
2007000134.tif 000004
【図３】
2007000134.tif 000005
【図４】
2007000134.tif 000006
【図５】
2007000134.tif 000007
【図６】
2007000134.tif 000008
【図７】
2007000134.tif 000009
【図８】
2007000134.tif 000010
【図９】
2007000134.tif 000011
【図１０】
2007000134.tif 000012
【図１１】
2007000134.tif 000013
【図１２】
2007000134.tif 000014
【図１３】
2007000134.tif 000015
【図１４】
2007000134.tif 000016
【図１５】
2007000134.tif 000017